(57)【要約】【解決手段】先に底部方向に倒される側壁３に、それぞれ一体成形された一対のロック解除部材４Ｌ、４Ｒを、水平方向のみに移動可能なように配設するとともに、一対のロック解除部材の操作ブロック４ｅを互いに接近させることにより、ロック解除部材の押圧部４ｃにより、後から底部方向に倒される側壁２に形成された係止弾性片２ｇを外側に湾曲変形させて、先に底部方向に倒される側壁と後から底部方向に倒される側壁とのロック状態を解除するように構成したものである。【効果】ロック解除部材全体或いはロック解除部材の一部が上下動する従来のロック解除部材に比べて、ロック解除部材の高さを低くすることができ、従って、高さの低い折り畳みコンテナーにも、ロック解除部材を配設することができる。【選択図】図１４
2006111323.tif 000002
【特許請求の範囲】
【請求項１】
底部と、底部の一方の相対する土手部にヒンジ連結されているとともに、箱型に組み立てられた状態から先に底部方向に倒される相対する側壁と、底部のもう一方の相対する土手部にヒンジ連結されているとともに、箱型に組み立てられた状態から、前記側壁に次いで後から底部方向に倒される相対する側壁とを有する折り畳みコンテナーにおいて、前記先に底部方向に倒される側壁に、それぞれ一体成形された一対のロック解除部材を、水平方向のみに移動可能なように配設するとともに、前記一対のロック解除部材の操作ブロックを互いに接近させることにより、前記ロック解除部材の押圧部により、前記後から底部方向に倒される側壁に形成された係止弾性片を外側に湾曲変形させて、前記先に底部方向に倒される側壁と前記後から底部方向に倒される側壁とのロック状態を解除するように構成されていることを特徴とする折り畳みコンテナー。
【請求項２】
前記先に底部方向に倒される側壁と前記後から底部方向に倒される側壁とのロック状態を解除した後、前記一対のロック解除部材の操作ブロックを離反する方向に水平移動させるための板バネが、前記ロック解除部材の上下面を越えて突出しないように構成されていることを特徴とする請求項１に記載の折り畳みコンテナー。
【請求項３】
前記板バネが、前記ロック解除部材を構成する略箱型形状の中央部内に配設されていることを特徴とする請求項２に記載の折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
従来、平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短辺部を立てることにより、箱型に組み立てられ、また、折り畳む際には、底部の上に重なるように、長側壁及び短側壁を折り畳むようにした折り畳みコンテナーが知られており、箱型に組み立てられ状態においては、長側壁及び短側壁が、底部方向に倒れないように、互いに、ロック機構により、ロックされるように構成されている。
【０００３】
長側壁に形成された係止弾性片と短側壁に配設されたロック解除部材とにより構成されたロック機構が、一例として、特許文献１に開示されており、折り畳みコンテナーが箱型に組み立てられた状態から、ロック解除部材を構成する一対の操作体を左右方向に移動させて、ロック解除操作体により、ロック解除操作体と別体に形成されたロック解除本体を水平方向に移動させることにより、長側壁に形成された係止弾性片を外側に弾性変形させて、長側壁と短側壁とのロック状態を解除するように構成されている。
【０００４】
【特許文献１】特開２００３−１６５５３６号公報
【発明の開示】
【発明が解決しようとする課題】
【０００５】
従来の折り畳みコンテナーにおいては、ロック解除部材が、一対のロック解除操作体と一対のロック解除本体の合計４つの部品により構成されているので、ロック解除部材の側壁への組み付けが複雑であり、組み付けに時間と熟練を要するという問題があった。
【０００６】
また、箱型に組み立てられた折り畳みコンテナーを折り畳む際に、ロック解除操作体を外側に移動させて、ロック解除本体により、長側壁に形成された係止弾性片を外側に湾曲変形させた後に、ロック解除操作体から手を離すことにより、ロック解除操作体とロック解除本体とが元に位置に戻るように、ロック解除本体には、弾性条片が形成されているが、この弾性条片が上下方向に延在しているために、ロック解除本体の全体の高さが高くなり、従って、高さの低い側壁を有する折り畳みコンテナーには、上述したロック解除部材を配設することができず、ロック解除部材を配設することができる折り畳みコンテナーが制限されるという問題があった。
【０００７】
更に、ロック解除操作体とロック解除本体とが別体に形成されているために、ロック解除操作体を外側に水平移動させた際に、ロック解除操作体の水平移動  が、直ぐに、ロック解除本体に伝わらず、従って、ロック解除部材によるロック解除作業の作業性が悪いという問題があった。
【０００８】
本発明の目的は、上述した従来の折り畳みコンテナーが有する課題を解決することにある。
【課題を解決するための手段】
【０００９】
本発明は、上述した目的を達成するために、底部と、底部の一方の相対する土手部にヒンジ連結されているとともに、箱型に組み立てられた状態から先に底部方向に倒される相対する側壁と、底部のもう一方の相対する土手部にヒンジ連結されているとともに、箱型に組み立てられた状態から、前記側壁に次いで後から底部方向に倒される相対する側壁とを有する折り畳みコンテナーにおいて、第１には、前記先に底部方向に倒される側壁に、それぞれ一体成形された一対のロック解除部材を、水平方向のみに移動可能なように配設するとともに、前記一対のロック解除部材の操作ブロックを互いに接近させることにより、前記ロック解除部材の押圧部により、前記後から底部方向に倒される側壁に形成された係止弾性片を外側に湾曲変形させて、前記先に底部方向に倒される側壁と前記後から底部方向に倒される側壁とのロック状態を解除するように構成されているものであり、第２には、前記先に底部方向に倒される側壁と前記後から底部方向に倒される側壁とのロック状態を解除した後、前記一対のロック解除部材の操作ブロックを離反する方向に水平移動させるための板バネが、前記ロック解除部材の上下面を越えて突出しないように構成したものであり、第３には、前記板バネを、前記ロック解除部材を構成する略箱型形状の中央部内に配設したものである。
【発明の効果】
【００１０】
先に底部方向に倒される側壁に、それぞれ一体成形された一対のロック解除部材を、水平方向のみに移動可能なように配設したので、ロック解除部材全体或いはロック解除部材の一部が上下動する従来のロック解除部材に比べて、ロック解除部材の高さを低くすることができ、従って、高さの低い折り畳みコンテナーにも、ロック解除部材を配設することができる。
【００１１】
また、一対のロック解除部材が、それぞれ、一体成形されているので、ロック解除部材の部品数が、従来の折り畳みコンテナーに配設されたロック解除部材の部品数に比べて少なく、従って、折り畳みコンテナーへのロック解除部材の取り付け作業を、容易に、且つ、短時間で行うことができ、折り畳みコンテナーの組み付け作業の作業性が向上する。
【００１２】
更に、一対のロック解除部材が、それぞれ、一体成形されているので、ロック解除部材の操作により、迅速に、且つ、確実に、先に底部方向に倒される側壁と後から底部方向に倒される側壁とのロック解除を行うことができ、従って、ロック解除作業の作業性が向上する。
【００１３】
先に底部方向に倒される側壁と後から底部方向に倒される側壁とのロック状態を解除した後、一対のロック解除部材の操作ブロックを離反する方向に水平移動させるための板バネが、ロック解除部材の上下面を越えて突出しないように構成されているので、ロック解除部材の高さを低くすることができ、従って、高さの低い折り畳みコンテナーにも、ロック解除部材を配設することができるとともに、板バネが、ロック解除部材の上下面を越えて突出しないように構成されているので、板バネが他の物に当たって変形したり、損傷するようなことを防止することができる。
【００１４】
板バネが、ロック解除部材を構成する略箱型形状の中央部内に配設されており、外に露出していないので、板バネが、手に触れたり或いは他の物に当たって、変形したり損傷するようなことを、確実に防止することができる。
【実施例】
【００１５】
以下に、本発明の実施例について説明するが、本発明の趣旨を越えない限り、何ら、本実施例に限定されるものではない。
【００１６】
先ず最初に、図１〜図３を用いて、本発明の折り畳みコンテナーの全体構成等について説明する。
【００１７】
本発明の折り畳みコンテナーは、相対する長辺側に形成された長辺側土手部１ａと相対する短辺側に形成された短辺側土手部１ｂとを有する平面形状が略長方形の底部１と、短辺側土手部１ｂより高さの高い長辺側土手部１ａにヒンジ連結された相対する長側壁２と、短辺側土手部１ｂにヒンジ連結された相対する短側壁３とから構成されており、図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーをコンパクトに折り畳むことができるように構成されている。また、図３に示されている折り畳まれた状態から、長側壁２を、略垂直に立て、次いで、短側壁３を略垂直に立てることにより、図１に示されているように、折り畳まれていた折り畳みコンテナーを、箱型に組み立てることができるように構成されている。なお、底部１の短辺側土手部１ｂの両端部には、長辺側土手部１ａと略同じ高さで、且つ、長辺側土手部１ａに連接された嵌合凸部１ｂ１が立設されている。
【００１８】
次に、図１〜図５を用いて、長側壁２について説明するとともに、図１〜図３及び図６〜図８を用いて、短側壁３について説明する。なお、以下の説明において、折り畳みコンテナーを箱型に組み立てた際に、折り畳みコンテナーの内部側を、内側と称し、折り畳みコンテナーの外部側を、外側と称し、また、折り畳みコンテナーの構成部材で、折り畳みコンテナーの内部側に位置する面を、内面と称し、外部側に位置する面を、外面と称する。
【００１９】
長側壁２は、折り畳みコンテナーが箱型に組み立てられた際に、略垂直に立設される横長の略長方形状の板状部２ａを有しており、板状部２ａの上端には、外側に向かって延在する上端水平リブ２ｂが形成されているとともに、板状部２ａの下端には、同じく、外側に向かって延在する下端水平リブ２ｃが形成されている。また、長側壁２の両垂直端には、板状部２ａに略垂直に、且つ、内側方向に延在する、縦長の係合枠２ｄが形成されており、係合枠２ｄには、上下方向に所定の間隔を置いて、板状部２ａに略平行な嵌合孔２ｄ１が穿設されている。なお、本実施例には、２個の嵌合孔２ｄ１が穿設されている例が示されている。
【００２０】
長側壁２の板状部２ａの上部両端角部付近には、それぞれ、コの字状のスリット２ｆが形成されており、コの字状のスリット２ｆを形成することにより、スリット２ｆで囲まれた部分が、片持ち状の係止弾性片２ｇに形成されている。係止弾性片２ｇの内側の先端には、係合枠２ｄと対向するように、係止突部２ｇ１が突設されており、係止突部２ｇ１の内面には、係合枠２ｄに向かって、徐々に、板状部２ａから遠ざかる方向に傾斜した傾斜面が形成されている。
【００２１】
長側壁２の上端水平リブ２ｂ付近には、上端水平リブ２ｂと略平行に、上部水平リブ２ｈが形成されており、上端水平リブ２ｂと上部水平リブ２ｈの板状部２ａからの長さ、即ち、上端水平リブ２ｂと上部水平リブ２ｈの奥行Ｄ１は、略同じ長さに形成されているとともに、長側壁２の上端水平リブ２ｂと上部水平リブ２ｈとは、板状部２ａからの長さ（奥行）が、上端水平リブ２ｂや上部水平リブ２ｈと略同じ奥行を有する複数の略方形状の上部垂直連結リブ２ｉにより連結されている。
【００２２】
上述した下端水平リブ２ｃの長側壁２の板状部２ａからの長さ、即ち、下端水平リブ２ｃの奥行Ｄ２は、上端水平リブ２ｂ及び上部水平リブ２ｈの板状部２ａからの奥行Ｄ１より短く形成されている。そして、長側壁２の上部水平リブ２ｈと下端水平リブ２ｃとは、側面形状（短側壁３側から見た形状）が略台形状の垂直連結リブ２ｊにより連結されており、垂直連結リブ２ｊの上端の板状部２ａからの長さ、即ち、奥行は、上部水平リブ２ｈの奥行Ｄ１と略同じで、また、垂直連結リブ２ｊの下端の板状部２ａからの長さ、即ち、奥行は、下端水平リブ２ｃの板状部２ａからの奥行Ｄ２と略同じに形成されている。また、長側壁２の下端水平リブ２ｃの先端２ｃ１は、長側壁２がヒンジ連結されている底部１の長辺側土手部１ａの略垂直な外面１ａ’と略面一に形成されている。
【００２３】
上述したように、折り畳みコンテナーが箱型に組み立てられた際には、長側壁２の板状部２ａは、略垂直に立設されているとともに、下端水平リブ２ｃの板状部２ａからの奥行Ｄ２は、上端水平リブ２ｂ及び上部水平リブ２ｈの板状部２ａからの奥行Ｄ１より短く形成されているので、上部水平リブ２ｈと下端水平リブ２ｃとを連結する垂直連結リブ２ｊの先端２ｊ１は、下端水平リブ２ｃから上部水平リブ２ｈに向かうに従って、外側に傾斜した傾斜端面として形成されている。また、必要に応じて、上部水平リブ２ｈと下端水平リブ２ｃとは、下端水平リブ２ｃの板状部２ａからの奥行Ｄ２より短い奥行を有する垂直連結リブ２ｋにより連結されている。なお、本実施例には、長側壁２の両垂直端に形成された係合枠２ｄ付近に位置する板状部２ａに、それぞれ２本、合計４本の略台形状の垂直連結リブ２ｊが形成されている例が示されており、略台形状の垂直連結リブ２ｊ間に位置する板状部２ａに、６本の垂直連結リブ２ｋが形成されている例が示されている。
【００２４】
上述したように、箱型に組み立てられた状態において、略垂直に立設された長側壁２の板状部２ａの外面には、上端水平リブ２ｂ、上部水平リブ２ｈ及び下端水平リブ２ｃとが形成されているとともに、下端水平リブ２ｃの板状部２ａからの奥行Ｄ２は、上端水平リブ２ｂ及び上部水平リブ２ｈの板状部２ａからの奥行Ｄ１より短く形成されており、また、上部水平リブ２ｈと下端水平リブ２ｃとは、下端水平リブ２ｃから上部水平リブ２ｈに向かうに従って、先端２ｊ１が、外側に傾斜した傾斜端面として形成されている複数の垂直連結リブ２ｊにより連結されているので、上部水平リブ２ｈの先端２ｈ１と下端水平リブ２ｃの先端２ｃ１と垂直連結リブ２ｊの先端２ｊ１とにより形成される長側壁２の仮想外壁面２’は、長側壁２の下端部から上端部に向かって、外側向かって傾斜した傾斜面として形成されている。
【００２５】
折り畳みコンテナーを箱型に組み立てた状態においては、図１や図５に示されているように、長側壁２の両端部に形成された係合枠２ｄの上端水平リブ２ｂと上部水平リブ２ｈとの間に位置する上部部分２ｄ’は、略垂直になるように構成されているとともに、上部水平リブ２ｈより下方に位置する係合枠２ｄの下部部分２ｄ”は、長側壁２の中央部に向かって傾斜した傾斜面として形成されている。
【００２６】
上述したように、下端水平リブ２ｃの板状部２ａからの奥行Ｄ２を、上端水平リブ２ｂ及び上部水平リブ２ｈの板状部２ａからの奥行Ｄ１より低く形成するとともに、上部水平リブ２ｈと下端水平リブ２ｃとを、下端水平リブ２ｃから上部水平リブ２ｈに向かうに従って、先端２ｊ１が、外側に傾斜した傾斜端面として形成されている複数の垂直連結リブ２ｊにより連結するように構成することにより、下端水平リブ２ｃの板状部２ａからの奥行が、上端水平リブ２ｂ及び上部水平リブ２ｈの板状部２ａからの奥行と同じで、しかも、上部水平リブ２ｈと下端水平リブ２ｃとが、縦長の方形状の複数の垂直連結リブにより連結されている従来の折り畳みコンテナーに比べて、長側壁２の強度や剛性を低下させることなく、長側壁２の重量を低減するすることができる。
【００２７】
次に、図１〜図３及び図５〜図８を用いて、短側壁３について説明する。
【００２８】
短側壁３は、折り畳みコンテナーが箱型に組み立てられた際に、略垂直に立設される横長の略長方形状の板状部３ａを有しており、板状部３ａの上端には、外側に向かって延在する上端水平リブ３ｂが形成されているとともに、板状部３ａの下端には、同じく、外側に向かって延在する下端水平リブ３ｃが形成されており、更に、板状部３ａの両端には、側端垂直リブ３ｄが形成されている。なお、本実施例には、上端水平リブ３ｂの中央部が、上方に凸状に膨出した例が示されているが、上端水平リブ３ｂを平坦に形成することもできる。
【００２９】
側端垂直リブ３ｄの外側には、張出枠３ｅが形成されており、張出枠３ｅは、板状部３ａを延長することにより形成された中央板部３ｅ１を有しており、中央板部３ｅ１の外面には、嵌合突部３ｅ２が突設されており、嵌合突部３ｅ２は、上述した長側壁２の係合枠２ｄに形成された嵌合孔２ｄ１に挿入されるように構成されている。中央板部３ｅ１の上端には、板状部３ａに垂直で、且つ、その一端縁が、側端垂直リブ３ｄに連接された水平板部３ｅ３が形成されており、更に、水平板部３ｅ３の先端には、板状部３ａに平行で、且つ、その一端縁が、側端垂直リブ３ｄに連接された係止垂直板部３ｅ４が形成されている。なお、３ｅ５は、中央板部３ｅ１の下端に形成されたブロック部であり、ブロック部３ｅ５は、折り畳みコンテナーが箱型に組み立てられた際に、長側壁２に形成された係合枠２ｄと底部１の短辺側土手部１ｂの両端部に突設された嵌合凸部１ｂ１とにより形成された空隙部Ａ１（図２を参照のこと）に嵌合されるように構成されている。
【００３０】
短側壁３の上端水平リブ３ｂ付近には、上端水平リブ３ｂと略平行に、上部水平リブ３ｆが形成されており、上端水平リブ３ｂと上部水平リブ３ｆの板状部３ａからの長さ、即ち、奥行Ｄ３は、略同じ奥行に形成されている。
【００３１】
上述した短側壁３の下端水平リブ３ｃの板状部３ａからの長さ、即ち、奥行Ｄ４は、上端水平リブ３ｂ及び上部水平リブ３ｆの奥行Ｄ３より短く形成されている。更に、短側壁３の上部水平リブ３ｆと下端水平リブ３ｃとは、上端が、上部水平リブ３ｆの奥記Ｄ３と略同じ奥行で、下端が、下端水平リブ３ｃの奥行Ｄ４と略同じ奥行に形成された、側面形状（長側壁２側から見た形状）が略台形状の垂直連結リブ３ｇにより連結されている。また、上部水平リブ３ｆと下端水平リブ３ｃとの間に位置する側端垂直リブ３ｄの側面形状も、略台形状の垂直連結リブ３ｇと略同一形状に形成されている。なお、本実施例には、２本の垂直連結リブ３ｇが形成されている。
【００３２】
上述したように、折り畳みコンテナーが箱型に組み立てられた際には、短側壁３の板状部３ａは、略垂直に立設されているとともに、下端水平リブ３ｃの板状部３ａからの奥行Ｄ４は、上端水平リブ３ｂ及び上部水平リブ３ｆの板状部３ａからの奥行Ｄ３より短く形成されているので、上部水平リブ３ｆと下端水平リブ３ｃとを連結する垂直連結リブ３ｇの先端３ｇ１は、下端水平リブ３ｃから上部水平リブ３ｆに向かうに従って、外側に傾斜した傾斜端面として形成されている。また、短側壁３の側端垂直リブ３ｄの先端３ｄ１のうち、上端水平リブ３ｂと上部水平リブ３ｆとの間に位置する上部先端部分３ｄ１’は、略垂直であるが、上部水平リブ３ｆと下端水平リブ３ｃとの間に位置する下部先端部分３ｄ１”は、側端垂直リブ３ｄの側面形状も、略台形状の垂直連結リブ３ｇと略同一形状に形成されているので、下端水平リブ３ｃから上部水平リブ３ｆに向かうに従って、外側に傾斜した傾斜端面として形成されている。また、短側壁３の下端水平リブ３ｃの先端３ｃ１は、短側壁３がヒンジ連結されている底部１の短辺側土手部１ｂの略垂直な外面１ｂ’と略面一に形成されている。
【００３３】
上述したように、箱型に組み立てられた状態において、略垂直に立設された短側壁３の板状部３ａの外面には、上端水平リブ３ｂ、相対する一対の側端垂直リブ３ｄ、上部水平リブ３ｆ及び垂直連結リブ３ｇとが形成されているとともに、下端水平リブ３ｃの板状部３ａからの奥行Ｄ４は、上端水平リブ３ｂ及び上部水平リブ３ｆの板状部３ａからの奥行Ｄ３より短く形成されており、また、上部水平リブ３ｆと下端水平リブ３ｃとは、下端水平リブ３ｃから上部水平リブ３ｆに向かうに従って、先端３ｇ１が、外側に傾斜した傾斜端面として形成されている複数の垂直連結リブ３ｇにより連結されており、更には、上部水平リブ３ｆと下端水平リブ３ｃとの間に位置する側端垂直リブ３ｄの先端３ｄ１も、垂直連結リブ３ｇと同様に、外側に傾斜した傾斜端面として形成されているので、上部水平リブ３ｆの先端３ｆ１と下端水平リブ３ｃの先端３ｆ１と側端垂直リブ３ｄの先端３ｄ１と垂直連結リブ３ｇの先端３ｇ１とにより形成される短側壁３の仮想外壁面３’は、短側壁３の下端部から上端部に向かって、外側向かって傾斜した傾斜面として形成されている。
【００３４】
図７に示されているように、短側壁３の上部領域には、上下が、上端水平リブ３ｂと上部水平リブ３ｆにより区画され、左右が、相対する一対の側端垂直リブ３ｄにより区画された、後述するロック解除部材が配設されるロック解除部材配置空間Ａ２が形成されている。また、ロック解除部材配置空間Ａ２を形成する側端垂直リブ３ｄには、縦長のスリット３ｄ２が形成されている。
【００３５】
図７において、３ｈは、上端水平リブ３ｂの両端部と上部水平リブ３ｆの両端部と側端垂直リブ３ｄとを架橋するとともに、板状部３ａと所定の間隙を置いて配設された補強板であり、このような補強板３ｈは、必要に応じて、省略することもできる。また、３ｉは、上部水平リブ３ｆの先端から垂設されているとともに、その両端が、相対する一対の垂直連結リブ３ｇの先端縁３ｇ１に連結された持ち手用垂設リブであり、板状部３ａと上部水平リブ３ｆと持ち手用垂設リブ３ｉと相対する一対の垂直連結リブ３ｇとにより、下方が開放された持ち手用凹部３ｊが形成されている。
【００３６】
３ｋは、上述した短側壁３に形成されたロック解除部材配置空間Ａ２の中央部に位置する板状部３ａに突設された板バネ当接ブロックである。３ｍ１は、板バネ当接ブロック３ｋ付近に位置する上端水平リブ３ｂの下面に垂設された上部ガイドリブであり、３ｍ２は、上部ガイドリブ３ｍ１より、一方の側端垂直リブ３ｄ側に位置する上端水平リブ３ｂの下面に垂設された上部乗り越えリブである。上部乗り越えリブ３ｍ２の下面には、上端水平リブ３ｂの中央部方向に向かって上方に傾斜した傾斜面３ｍ２’が形成されている。３ｎ１は、板バネ当接ブロック３ｋ付近に位置する上部水平リブ３ｆの上面に立設された下部ガイドリブであり、３ｎ２は、下部ガイドリブ３ｎ１より、もう一方の側端垂直リブ３ｄ側に位置する上部水平リブ３ｆの上面に立設された下部乗り越えリブである。下部乗り越えリブ３ｎ２の上面には、上部水平リブ３ｆの中央部方向に向かって下方に傾斜した傾斜面３ｎ２’が形成されている。なお，３ｐ１は，上部ガイドリブ３ｍ１を形成するための板状部３ａに穿設された金型挿入孔であり，３ｐ２は，上部乗り越えリブ３ｍ２を形成するための板状部３ａに穿設された金型挿入孔であり，また，３ｑ１は，下部ガイドリブ３ｎ１を形成するための板状部３ａに穿設された金型挿入孔であり，３ｑ２は，下部乗り越えリブ３ｎ２を形成するための板状部３ａに穿設された金型挿入孔である。
【００３７】
上述したように、下端水平リブ３ｃの板状部３ａからの奥行Ｄ４を、上端水平リブ３ｂ及び上部水平リブ３ｆの板状部３ａからの奥行Ｄ３より短く形成するとともに、上部水平リブ３ｆと下端水平リブ３ｃとを、下端水平リブ３ｃから上部水平リブ３ｆに向かうに従って、先端縁３ｇ１が、外側に傾斜した傾斜端面として形成されている複数の垂直連結リブ３ｇにより連結するように構成することにより、下端水平リブ３ｃの板状部３ａからの奥行が、上端水平リブ３ｂ及び上部水平リブ３ｆの板状部３ａからの奥行と同じで、しかも、上部水平リブ３ｆと下端水平リブ３ｃとが、縦長の方形状の複数の垂直連結リブにより連結されている従来の折り畳みコンテナーに比べて、短側壁３の強度や剛性を低下させることなく、短側壁３の重量を低減することができる。
【００３８】
次に、図９及び図１０を用いて、合成樹脂で、それぞれ、一体に成形された一対のロック解除部材４Ｌ、４Ｒについて説明する。ロック解除部材４Ｌは、図１に示されているように、一対のロック解除部材４Ｌ、４Ｒが短側壁３に配設された際に、左側に位置する長側壁２とのロック状態を解除するためのものであり、ロック解除部材４Ｒは、右側に位置する長側壁２とのロック状態を解除するためのものである。ロック解除部材４Ｌとロック解除部材４Ｒは、同一の金型により、同一形状に一体成形されており、図９において、上方に位置するロック解除部材４Ｒを、左端部分を中心に、矢印Ｐ１方向に、換言すれば、半時計方向に１８０度回転させることにより、下に位置するロック解除部材４Ｌとなる。従って、以下においては、ロック解除部材４Ｌとロック解除部材４Ｒの同じ構成部材については、同じ符号を付して説明する。
【００３９】
ロック解除部材４Ｌ、４Ｒは、略箱型形状の中央部４ａを有しており、中央部４ａは、所定の間隔を置いて配置された相対する垂直板４ａ１と、相対する垂直板４ａ１の一方の垂直端同士を連結する前板４ａ２と、相対する垂直板４ａ１の一方の水平端同士を連結する端部水平板４ａ３と、相対する垂直板４ａ１のもう一方の水平端より、端部水平板４ａ３寄りに位置する部分において垂直板４ａ１同士を連結するとともに、端部水平板４ａ３と平行な底上げ水平板４ａ４と、底上げ水平板４ａ４の前板４ａ２と反対側に位置する水平端から、端部水平板４ａ３と反対方向に延在する奥板４ａ５とを有しており、中央部４ａの前板４ａ２と対向する部分は、奥板４ａ５部分を除いて、開口されている。
【００４０】
中央部４ａの一方の垂直板４ａ１の略中央部には、垂直板４ａ１に対して垂直に、横長の略箱型形状の中間部４ｂが連接されており、中間部４ｂは、所定の間隔を置いて相対する一対の水平板４ｂ１と、一対の水平板４ｂ１の一方の水平端同士を連結するとともに、中央部４ａの前板４ａ２と略面一な前板４ｂ２と、相対する一対の水平板４ｂ１の先端同士を連結する垂直側板４ｂ３とを有しており、中間部４ｂの前板４ｂ２と対向する部分は開口されている。
【００４１】
中間部４ｂの垂直側板４ｂ３には、垂直側板４ｂ３に対して垂直に、横長の略箱型形状の押圧部４ｃが連接されており、押圧部４ｃは、所定の間隔を置いて相対する一対の水平板４ｃ１と、一対の水平板４ｃ１の一方の水平端同士を連結するとともに、中央部４ａの前板４ａ２より一段下がった前板４ｃ２と、相対する一対の水平板４ｃ１の先端同士を連結する垂直側板４ｃ３とを有しており、押圧部４ｃの前板４ｃ２と対向する部分は開口されている。押圧部４ｃの開口側に位置する水平板４ｃ１の水平端と垂直側板４ｃ３の垂直端、及び、中間部４ｂの開口側に位置する水平板４ｂ１の水平端と垂直側板４ｂ３の垂直端とは、全て、仮想垂直面に対して、面一に形成されている。また、押圧部４ｃの厚さ（前板４ｃ２に対して垂直な長さ）Ｔ１は、中間部４ｂの厚さ（前板４ｂ２に対して垂直な長さ）Ｔ２より薄く形成されており、押圧部４ｃは、上述したロック解除部材配置空間Ａ２を形成する側端垂直リブ３ｄに形成されたスリット３ｄ２及び短側壁３の板状部３ａと補強板３ｈとの間に形成された間隙に挿入されるように構成されている。
【００４２】
中央部４ａのもう一方の垂直板４ａ１で、且つ、端部水平板４ａ３側には、もう一方の垂直板４ａ１に対して垂直に、横長の略箱型形状の操作部４ｄが連接されている。操作部４ｄは、水平板４ｄ１と、中央部４ａの前板４ａ２と面一な前板４ｄ２と、前板４ｄ２と相対するとともに、前板４ｄ２と平行な背板４ｄ３と、前板４ｄ２と背板４ｄ３の先端同士を連結する垂直側板４ｄ４と、前板４ｄ２と背板４ｄ３の略中央部を連結するとともに、垂直側板４ｄ４と平行な中間板４ｄ５とを有している。また、前板４ｄ２、背板４ｄ３、垂直側板４ｄ４及び中間板４ｄ５の水平板４ｄ１と反対側の水平端は、中央部４ａの端部水平板４ａ３と面一に形成されている。更に、中間板４ｄ５付近に位置する背板４ｄ３には、上述した短側壁３に形成された上端水平リブ３ｂの下面に垂設された上部ガイドリブ３ｍ１或いは上部水平リブ３ｆの上面に立設された下部ガイドリブ３ｎ１が挿入可能な切欠き凹部４ｄ３’が形成されている。
【００４３】
また、操作部４ｄを構成する水平板４ｄ１の先端部には、中央部４ａと相対するように、略箱型形状の操作ブロック４ｅが形成されており、操作ブロック４ｅは、操作部４ｄの前板４ｄ２と面一な前板４ｅ１と、操作部４ｄの垂直側板４ｄ４を延長することにより形成された垂直側板４ｅ２と、垂直側板４ｅ２と平行な垂直内側板４ｅ３と、垂直側板４ｅ２と垂直内側板４ｅ３の先端同士を連結する水平板４ｅ４とを有しており、操作ブロック４ｅの前板４ｅ１と対向する部分は開口されている。また、垂直内側板４ｅ３には、前板４ｅ１側から、操作部４ｄを構成する背板４ｄ３方向に延在するとともに、操作部４ｄの水平板４ｄ１に対して垂直な板バネ４ｆが取着されている。
【００４４】
また、中央部４ａを構成する相対する垂直板４ａ１のうち、中間部４ｂが連接されている垂直板４ａ１には、垂直板４ａ１の端部水平板４ａ３と反対側の端部を、底上げ水平板４ａ４付近まで切除することにより、上部乗り越えリブ３ｍ２や下部乗り越えリブ３ｎ２が、強制的に乗り越えるように構成された乗り越え壁４ａ６が形成されている。なお、乗り越え壁４ａ６が形成されている底上げ水平板４ａ４の先端と該先端側に位置する垂直板４ａ１との間に、スリット４ａ７’を形成するとともに、底上げ水平板４ａ４と前板４ａ２との間にも、上記スリット４ａ７’に連接されたスリット４ａ７”を形成することにより、底上げ水平板４ａ４の先端部分は、弾性変形可能な片持ち状に形成されている。
【００４５】
上述したように構成されているロック解除部材４Ｌ、４Ｒの中央部４ａの前板４ａ２、中間部４ｂの前板４ｂ２、操作部４ｄの前板４ｄ２及び操作ブロック４ｅの前板４ｅ１は、略面一に構成されており、また、ロック解除部材４Ｌ、４Ｒの前記前板４ａ２、４ｂ２、４ｄ２、４ｅ１と反対側に位置する部分も、略面一に形成されている。
【００４６】
次に、図９〜図１３を用いて、短側壁３へのロック解除部材４Ｌ、４Ｒの組み付けについて説明する。
【００４７】
操作ブロック４ｅが、操作部４ｄの水平板４ｄ１から垂下されたような状態に配置されたロック解除部材４Ｒを、中央部４ａや中間部４ｂや押圧部４ｃ等の開口部分が、短側壁３の板状部３ａ側に位置するように、換言すれば、中央部４ａの前板４ａ２や中間部４ｂの前板４ｂ２や操作部４ｄの前板４ｄ２や操作ブロック４ｅの前板４ｅ１等が、外側に位置するように、短側壁３に形成されたロック解除部材配置空間Ａ２に接近させて、ロック解除部材４Ｒを構成する操作部４ｄの背板４ｄ３に形成された切欠き凹部４ｄ３’を、短側壁３の上端水平リブ３ｂの下面に垂設された上部ガイドリブ３ｍ１に対向させるとともに、短側壁３の上部水平リブ３ｆに立設された下部乗り越えリブ３ｎ２が、ロック解除部材４Ｒの乗り越え壁４ａ６が形成されている垂直板４ａ１の中間部４ｂ側付近に位置するように配置する。
【００４８】
上述したように、短側壁３に形成されたロック解除部材配置空間Ａ２に対向するようにロック解除部材４Ｒを配置した後、ロック解除部材４Ｒを、ロック解除部材４Ｒの押圧部４ｃが、短側壁３の側端垂直リブ３ｄに形成されたスリット３ｄ２及び短側壁３の板状部３ａと補強板３ｈとの間に形成された間隙に挿入されるように、図１１において、右方向に移動させると、図１２に示されているように、ロック解除部材４Ｒを構成する操作部４ｄの背板４ｄ３が、短側壁３の板状部３ａと上端水平リブ３ｂの下面に垂設された上部ガイドリブ３ｍ１との間に形成された間隙に挿入されるとともに、ロック解除部材４Ｒの中央部４ａに形成された乗り越え壁４ａ６が、短側壁３の上部水平リブ３ｆに立設された下部乗り越えリブ３ｎ２の傾斜面３ｎ２’に当接することになる。この状態から、更に、ロック解除部材４Ｒを、強制的に右方向に移動させると、ロック解除部材４Ｒの中央部４ａに形成された乗り越え壁４ａ６が、上述したように、弾性変形可能な片持ち状に形成された底上げ水平板４ａ４を弾性変形させながら、下部乗り越えリブ３ｎ２の傾斜面３ｎ２’を越えて、ロック解除部材４Ｒの中央部４ａを構成する底上げ水平板４ａ４の下方に位置することになる。このようにして、短側壁３に形成されたロック解除部材配置空間Ａ２に、ロック解除部材４Ｒが組み付けられることになる。
【００４９】
上述したように、短側壁３に形成されたロック解除部材配置空間Ａ２に、ロック解除部材４Ｒが組み付けられた際には、図１３に示されているように、操作ブロック４ｅの垂直内側板４ｅ３に取着されている板バネ４ｆの先端が、短側壁３の板状部３ａに突設された板バネ当接ブロック３ｋに当接或いは接近して位置するように構成されている。
【００５０】
また、上述したように、短側壁３に形成されたロック解除部材配置空間Ａ２に、ロック解除部材４Ｒが組み付けられた状態から、ロック解除部材４Ｒが、押圧部４ｃが、短側壁３の側端垂直リブ３ｄに形成されたスリット３ｄ２から抜け出る方向（図１２及び図１３において、左方向）に移動した際には、ロック解除部材４Ｒの中央部４ａに形成された乗り越え壁４ａ６が、短側壁３の上部水平リブ３ｆに立設された下部乗り越えリブ３ｎ２に当接することになり、従って、ロック解除部材４Ｒのそれ以上の左方向への移動が、阻止され、ロック解除部材４Ｒが、短側壁３から離脱するようなことが防止される。
【００５１】
同様にして、操作ブロック４ｅが、操作部４ｄの水平板４ｄ１から立設されたような状態に配置されたロック解除部材４Ｌを、短側壁３に形成されたロック解除部材配置空間Ａ２に接近させて、ロック解除部材４Ｌを構成する操作部４ｄの背板４ｄ３に形成された切欠き凹部４ｄ３’を、短側壁３の上部水平リブ３ｆの上面に立設された下部ガイドリブ３ｎ１に対向させるとともに、短側壁３の上端水平リブ３ｂに垂設された上部乗り越えリブ３ｍ２が、ロック解除部材４Ｌの乗り越え壁４ａ６が形成されている垂直板４ａ１の中間部４ｂ側付近に位置するように配置する。
【００５２】
上述したように、短側壁３に形成されたロック解除部材配置空間Ａ２に対向するようにロック解除部材４Ｌを配置した後、ロック解除部材４Ｌを、ロック解除部材４Ｌの押圧部４ｃが、短側壁３の側端垂直リブ３ｄに形成されたスリット３ｄ２及び短側壁３の板状部３ａと補強板３ｈとの間に形成された間隙に挿入されるように、図１１において、左方向に移動させると、図１２に示されているように、ロック解除部材４Ｌを構成する操作部４ｄの背板４ｄ３が、短側壁３の板状部３ａと上部水平リブ３ｆの上面に立設された下部ガイドリブ３ｎ１との間に形成された間隙に挿入されるとともに、ロック解除部材４Ｌの中央部４ａに形成された乗り越え壁４ａ６が、短側壁３の上端水平リブ３ｂに垂設された上部乗り越えリブ３ｍ２の傾斜面３ｍ２’に当接することになる。この状態から、更に、ロック解除部材４Ｌを、強制的に左方向に移動させると、ロック解除部材４Ｌの中央部４ａに形成された乗り越え壁４ａ６が、上述したように、弾性変形可能な片持ち状に形成された底上げ水平板４ａ４を弾性変形させながら、上部乗り越えリブ３ｍ２の傾斜面３ｍ２’を越えて、ロック解除部材４Ｌの中央部４ａを構成する底上げ水平板４ａ４の上方に位置することになる。このようにして、短側壁３に形成されたロック解除部材配置空間Ａ２に、ロック解除部材４Ｌが組み付けられることになる。
【００５３】
上述したように、短側壁３に形成されたロック解除部材配置空間Ａ２に、ロック解除部材４Ｌが組み付けられた際には、図１３に示されているように、操作ブロック４ｅの垂直内側板４ｅ３に取着されている板バネ４ｆの先端が、短側壁３の板状部３ａに突設された板バネ当接ブロック３ｋに当接或いは接近して位置するように構成されている。
【００５４】
また、上述したように、短側壁３に形成されたロック解除部材配置空間Ａ２に、ロック解除部材４Ｌが組み付けられた状態から、ロック解除部材４Ｌが、押圧部４ｃが、短側壁３の側端垂直リブ３ｄに形成されたスリット３ｄ２から抜け出る方向（図１２及び図１３において、右方向）に水平移動した際には、ロック解除部材４Ｌの中央部４ａに形成された乗り越え壁４ａ６が、短側壁３の上端水平リブ３ｂに垂設された上部乗り越えリブ３ｍ２に当接することになり、従って、ロック解除部材４Ｌのそれ以上の右方向への移動が、阻止され、ロック解除部材４Ｌが、短側壁３から離脱するようなことが防止される。
【００５５】
上述したようにして、図１４に示されているように、同一構成を有する一対のロック解除部材４Ｌ、４Ｒが、短側壁３に形成されたロック解除部材配置空間Ａ２に配設されることになるが、ロック解除部材４Ｌ、４Ｒを構成する中央部４ａの高さＨ１は、短側壁３の上端水平リブ３ｂの下面と上部水平リブ３ｆの上面との間隔Ｈ２と略同じに形成されているので、ロック解除部材４Ｌ、４Ｒは、上下方向に移動するようなことがなく、互いに水平方向にのみ移動可能なように構成されている。また、同一構成を有する一対のロック解除部材４Ｌ、４Ｒが、短側壁３に形成されたロック解除部材配置空間Ａ２に配設された際には、図１４において右側に位置するロック解除部材４Ｒの操作ブロック４ｅが、左側に位置するロック解除部材４Ｌの操作ブロック４ｅと中央部４ａとの間に位置し、図１４において左側に位置するロック解除部材４Ｌの操作ブロック４ｅが、右側に位置するロック解除部材４Ｒの操作ブロック４ｅと中央部４ａとの間に位置するように構成されている。
【００５６】
また、図１４に示されているように、一対のロック解除部材４Ｌ、４Ｒが、短側壁３に形成されたロック解除部材配置空間Ａ２に配設された際には、ロック解除部材４Ｌ、４Ｒの押圧部４ｃが、張出枠３ｅを構成する係止垂直板部３ｅ４を越えて外側に突出しないように構成されている。また、箱型に組み立てられた状態においては、短側壁３に配設された一対のロック解除部材４Ｌ、４Ｒの押圧部４ｃの先端が、長側壁２に形成された係止弾性片２ｇの係止突部２ｇ１と対向するように構成されている。
【００５７】
更に、図１４に示されているように、一対のロック解除部材４Ｌ、４Ｒが、短側壁３に形成されたロック解除部材配置空間Ａ２に配設された際には、右側に位置するロック解除部材４Ｒの中央部４ａと、左側に位置するロック解除部材４Ｌの操作ブロック４ｅとの間には、作業者の指が挿入可能な空隙部Ａ３が形成されるように構成されており、同様に、左側に位置するロック解除部材４Ｌの中央部４ａと、右側に位置するロック解除部材４Ｒの操作ブロック４ｅとの間にも、作業者の指が挿入可能な空隙部Ａ３が形成されるように構成されている。
【００５８】
次に、折り畳まれた状態の折り畳みコンテナーを、箱型に組み立てる組み立て工程の詳細について説明する。
【００５９】
図３に示されているように折り畳まれた状態から、図１に示されているように、箱型に折り畳みコンテナーを組み立てるには、先ず最初に、図２に示されているように、長側壁２を略垂直に立てる。次いで、底部１に重なるようにして折り畳まれている短側壁３を、略水平状態から垂直方向に回動させると、短側壁３の張出枠３ｅが、長側壁２に形成された係合枠２ｄに対向するように接近する。この状態から、更に、短側壁３を垂直方向に回動させると、短側壁３の張出枠３ｅを構成する係止垂直板部３ｅ４が、長側壁２の内面から突出している係止弾性片２ｇの係止突部２ｇ１の傾斜面に当接するとともに、係止弾性片２ｇを、外側方向に、係止弾性片２ｇの弾性に抗して湾曲変形させる。更に、短側壁３を、垂直方向に回動させると、短側壁３の張出部３ｅに突設された嵌合突部３ｅ２が、長側壁２の係合枠２ｄに形成された嵌合孔２ｄ１に挿入されることになる。この短側壁３の張出枠３ｅに突設された嵌合突部３ｅ２が、長側壁２の係合枠２ｄに形成された嵌合孔２ｄ１に挿入される過程において、短側壁３の張出枠３ｅを構成する係止垂直板部３ｅ４が、長側壁２に形成された係止弾性片２ｇの係止突部２ｇ１から外れて、係止弾性片２ｇが、その弾性により元の位置に戻るとともに、短側壁３の張出枠３ｅを構成する係止垂直板部３ｅ４が、長側壁２に形成された係合枠２ｄと係止弾性片２ｇの係止突部２ｇ１との間に挿着されることになる。従って、この状態から、短側壁３が、底部１方向に回動しようとしても、短側壁３の張出枠３ｅを構成する係止垂直板部３ｅ４が、長側壁２に形成された係止弾性片２ｇの係止突部２ｇ１に当接し、底部１方向への回動が阻止されることになり、短側壁３に外側から負荷が掛かっても、底部１方向に倒れるようなことがない。同様にして、もう一方の短側壁３を、略水平状態から垂直方向に回動させて、折り畳みコンテナーを箱型に組み立てる。
【００６０】
箱型に組み立てられた折り畳みコンテナーを折り畳む際には、右側に位置するロック解除部材４Ｒの中央部４ａと左側に位置するロック解除部材４Ｌの操作ブロック４ｅとの間に形成された空隙部Ａ３と、左側に位置するロック解除部材４Ｌの中央部４ａと右側に位置するロック解除部材４Ｒの操作ブロック４ｅとの間に形成された空隙部Ａ３とに、例えば、親指と人指し指を挿入し、親指と人指し指を近付けることにより、右側に位置するロック解除部材４Ｒの操作ブロック４ｅと左側に位置するロック解除部材４Ｌの操作ブロック４ｅとを、短側壁３の板状部３ａに突設された板バネ当接ブロック３ｋに、その先端が当接或いは接近しているロック解除部材４Ｌ、４Ｒに配設された板バネ４ｆの弾性力に抗して、接近させる。このように、ロック解除部材４Ｌ、４Ｒに配設された板バネ４ｆの弾性力に抗して、右側に位置するロック解除部材４Ｒの操作ブロック４ｅと左側に位置するロック解除部材４Ｌの操作ブロック４ｅとを、互いに接近させると、一対のロック解除部材４Ｌ、４Ｒの押圧部４ｃが、短側壁３の側端垂直リブ３ｄに形成されたスリット３ｄ２を経て、且つ、側端垂直リブ３ｄを越えて外側にそれぞれ突出し、長側壁２に形成された係止弾性片２ｇの係止突部２ｇ１を押すことになる。ロック解除部材４Ｌ、４Ｒの押圧部４ｃが、長側壁２に形成された係止弾性片２ｇの係止突部２ｇ１を押すと、係止弾性片２ｇは、係止弾性片２ｇの弾性力に抗して、外側方向に湾曲変形し、遂には、係止弾性片２ｇの係止突部２ｇ１が、短側壁３の張出枠３ｅを構成する係止垂直板部３ｅ４から外れることになる。即ち、短側壁３に形成された張出枠３ｅの係止垂直板部３ｅ４と長側壁２に形成された係止弾性片２ｇの係止突部２ｇ１とによる短側壁３と長側壁２とのロック状態が解除されることになる。このように、短側壁３と長側壁２とのロック状態が解除された後、短側壁３を、底部１方向に回動させて、一対の相対する短側壁３を、底部１上に重ねる。次いで、一対の相対する長側壁２を、底部１上に重ねられた一対の相対する短側壁３の上に重ねることにより、箱型に組み立てられた折り畳みコンテナーを折り畳むことができる。
【００６１】
上述したように、短側壁３と長側壁２とのロック状態を解除し、短側壁３を、底部１方向に回動させた後には、ロック解除部材４Ｌ、４Ｒの操作ブロック４ｅから手を離すと、ロック解除部材４Ｌ、４Ｒは、ロック解除部材４Ｌ、４Ｒに配設された板バネ４ｆの弾性力により、ロック解除部材４Ｌ、４Ｒの操作ブロック４ｅが、互いに離れる方向に移動し、ロック解除部材４Ｌ、４Ｒの押圧部４ｃが、短側壁３の側端垂直リブ３ｄを越えて大きく突出していない元の位置に戻ることになる。
【００６２】
上述したように、箱型に組み立てられた折り畳みコンテナーを折り畳む際には、右側に位置するロック解除部材４Ｒの中央部４ａと左側に位置するロック解除部材４Ｌの操作ブロック４ｅとの間に形成された空隙部Ａ３と、左側に位置するロック解除部材４Ｌの中央部４ａと右側に位置するロック解除部材４Ｒの操作ブロック４ｅとの間に形成された空隙部Ａ３とに、例えば、親指と人指し指を挿入し、親指と人指し指を近付けることにより、所謂、一方の手のみによるワンタッチ動作により、長側壁２と短側壁３とのロック状態を解除することができるので、従って、ロック機構による長側壁２と短側壁３とのロック解除作業の作業性が向上することになる。
【００６３】
また、一方の長側壁２と一方の短側壁３とのロック状態を解除するための一方のロック解除部材４Ｌ及びもう一方の長側壁２ともう一方の短側壁３とのロック状態を解除するためのもう一方のロック解除部材４Ｒとが、それぞれ、一体に形成されているので、ロック解除部材の部品数が、従来の折り畳みコンテナーに配設されたロック解除部材の部品数に比べて少なく、従って、折り畳みコンテナーへのロック解除部材の取り付け作業を、容易に、且つ、短時間で行うことができ、折り畳みコンテナーの組み付け作業の作業性が向上する。
【００６４】
また、ロック解除部材４Ｌ、４Ｒに配設された板バネ４ｆが、操作ブロック４ｅの垂直内側板４ｅ３に取着されており、板バネ４ｆが、操作ブロック４ｅを越えて、上下方向に突出しないように、換言すれば、ロック解除部材４Ｌ、４Ｒを越えて、上下方向に突出しないように構成されているので、ロック解除部材４Ｌ、４Ｒの高さを低くすることができ、従って、高さの低い折り畳みコンテナーにも、ロック解除部材４Ｌ、４Ｒを配設することができる。
【００６５】
更にまた、一方の長側壁２と一方の短側壁３とのロック状態を解除するための一方のロック解除部材４Ｌ及びもう一方の長側壁２ともう一方の短側壁３とのロック状態を解除するためのもう一方のロック解除部材４Ｒとが、それぞれ、一体に形成されているので、ロック解除部材４Ｌ、４Ｒの操作により、迅速に、且つ、確実に、ロック解除部材４Ｌ、４Ｒによる長側壁２と短側壁３とのロック解除を行うことができ、従って、ロック解除作業の作業性が向上する。
【００６６】
次に、上述した構成を有する本発明の折り畳みコンテナーの他の特徴ある構成について、図１〜図６を用いて説明する。
【００６７】
折り畳みコンテナーを箱型に組み立てた状態においては、上述したように、短側壁３の張出部３ｅと長側壁２の係合枠２ｄとが、互いに対向し接近しているとともに、短側壁３の張出部３ｅに突設された嵌合突部３ｅ２が、長側壁２の係合枠２ｄに形成された嵌合孔２ｄ１に挿入され、また、短側壁３の張出枠３ｅを構成する係止垂直板部３ｅ４が、長側壁２に形成された係合枠２ｄと係止弾性片２ｇの係止突部２ｇ１との間に挿着されている。
【００６８】
また、箱型に組み立てられた際には、長側壁２に形成された係合枠２ｄの上端水平リブ２ｂと上部水平リブ２ｈとの間に位置する上部部分２ｄ’の外面と、短側壁３の側端垂直リブ３ｄの先端３ｄ１のうち、上端水平リブ３ｂと上部水平リブ３ｆとの間に位置する上部先端部分３ｄ１’の外面とは、共に、略垂直に形成されているとともに、互いに略面一になるように構成されている。また、長側壁２に形成された係合枠２ｄの上部水平リブ２ｈと下端水平リブ２ｃととの間に位置する下部部分２ｄ”の外面と、短側壁３の側端垂直リブ３ｄの先端３ｄ１のうち、上部水平リブ３ｆと下端水平リブ３ｃとの間に位置する下部先端部分３ｄ１”の外面とも、共に、略垂直に形成されているとともに、互いに略面一になるように構成されている。
【００６９】
上述したように、箱型に組み立てられた際には、長側壁２に形成された係合枠２ｄの上端水平リブ２ｂと上部水平リブ２ｈとの間に位置する上部部分２ｄ’の外面と、短側壁３の側端垂直リブ３ｄの先端３ｄ１のうち、上端水平リブ３ｂと上部水平リブ３ｆとの間に位置する上部先端部分３ｄ１’の外面とは、共に、略垂直に形成されているとともに、互いに略面一になるように構成されており、また、上述したように、上部水平リブ３ｆの先端３ｆ１と、下端水平リブ３ｃの先端３ｆ１と、上部水平リブ３ｆと下端水平リブ３ｃとの間に位置する側端垂直リブ３ｄの下部先端部分３ｄ１”と、垂直連結リブ３ｇの先端３ｇ１とにより形成される短側壁３の仮想外壁面３’は、短側壁３の下端部から上端部に向かって、外側向かって傾斜した傾斜面として形成されているので、箱型に組み立てられた折り畳みコンテナーを平面的に見た場合に、少なくとも、長側壁２に形成された係合枠２ｄの上端水平リブ２ｂと上部水平リブ２ｈとの間に位置する上部部分２ｄ’は、底部１の短辺側土手部１ｂの外面１ｂ’を越えて外側に位置することになる。換言すれば、箱型に組み立てられた状態においては、少なくとも、長側壁２に形成された係合枠２ｄの上部部分２ｄ’は、底部１の短辺側土手部１ｂの外面１ｂ’を越えて外側に突出している。
【００７０】
上述したような構成を有する折り畳みコンテナーを、図３に示されているように、折り畳んだ際には、後から倒される長側壁２の係合枠２ｄの上部部分２ｄ’は、底部１の短辺側土手部１ｂの外面１ｂ’を越えて外側に突出することになる。
【００７１】
上述したように、折り畳みコンテナーが折り畳まれた状態において、長側壁２の係合枠２ｄの上部部分２ｄ’が、底部１の短辺側土手部１ｂの外面１ｂ’を越えて、外側に突出するように構成されているので、折り畳まれた状態の折り畳みコンテナーを、箱型に組み立てる際に、底部１の短辺側土手部１ｂの外面１ｂ’を越えて外側に突出している係合枠２ｄの上部部分２ｄ’の下方に、作業者の手や折り畳みコンテナー組み立て自動機の爪部材を配置するとともに、作業者の手や折り畳みコンテナー組み立て自動機の爪部材を上動させることにより、容易に、且つ、確実に、長側壁２を、垂直方向に回動させることができ、従って、折り畳みコンテナーの組み立て作業の作業性が向上する。
【００７２】
次に、図１５〜図１８を用いて、本発明の別の実施例について説明する。
【００７３】
図１５に示されているロック解除部材４Ｌ、４Ｒは、上述した実施例のロック解除部材４Ｌ、４Ｒを構成する操作ブロック４ｅの垂直内側板４ｅ３に取着された板バネ４ｆに代えて、中央部４ａを構成する端部水平板４ａ３の裏面に板バネ４ｆ’を垂設したものである。ロック解除部材４Ｌ、４Ｒの他の構成は、上述した実施例と同じであるので、詳細な説明は省略する。なお、４ａ８は、板バネ４ｆ’を、ロック解除部材４Ｌ、４Ｒと一体に成形するために、前板４ａ２形成された金型挿入孔である。
【００７４】
図１６に示されているように、本実施例においては．上述した実施例の短側壁３に形成されたロック解除部材配置空間Ａ２の中央部に位置する板状部３ａに突設された板バネ当接ブロック３ｋに代えて、ロック解除部材配置空間Ａ２内に位置する板状部３ａに、所定の間隔を置いて、一対の板バネ当接ブロック３ｒを突設したものである。短側壁３の他の構成は、上述した実施例と同じであるので、詳細な説明は省略する。また、ロック解除部材４Ｌ、４Ｒの短側壁３に形成されたロック解除部材配置空間Ａ２への取り付けも、上述した実施例と同じであるので、ロック解除部材４Ｌ、４Ｒの短側壁３への取り付けについても、その説明は省略する。
【００７５】
図１７に示されているように、ロック解除部材４Ｌ、４Ｒが、短側壁３に形成されたロック解除部材配置空間Ａ２に取り付けられた際には、図１８に示されているように、左側に位置するロック解除部材４Ｌを構成する中央部４ａの端部水平板４ａ３の裏面に垂設された板バネ４ｆ’は、ロック解除部材配置空間Ａ２内に位置する板状部３ａに突設された一対の板バネ当接ブロック３ｒのうち、左側に位置する板バネ当接ブロック３ｒの右側面、即ち、ロック解除部材配置空間Ａ２の中央部寄りの側面に、当接或いは接近して位置するとともに、右側に位置するロック解除部材４Ｒを構成する中央部４ａの端部水平板４ａ３の裏面に垂設された板バネ４ｆ’は、ロック解除部材配置空間Ａ２内に位置する板状部３ａに突設された一対の板バネ当接ブロック３ｒのうち、右側に位置する板バネ当接ブロック３ｒの左側面、即ち、ロック解除部材配置空間Ａ２の中央部寄りの側面に、当接或いは接近して位置するように構成されている。なお、ロック解除部材４Ｌ、４Ｒの水平移動による長側壁２と短側壁３のロック解除作業も、上述した実施例と同じであるので、その説明は省略する。
【００７６】
上述した図１５〜図１８に示されている実施例においては、板バネ４ｆ’は、略箱型形状に形成された中央部４ａ内に位置しており、従って、図１７に示されているように、ロック解除部材４Ｌ、４Ｒが、短側壁３に形成されたロック解除部材配置空間Ａ２に取り付けられた際には、板バネ４ｆ’は、外に露出していないので、板バネ４ｆ’が、手に触れたり或いは他の物に当たって、変形したり損傷するようなことを防止することができる。
【図面の簡単な説明】
【００７７】
【図１】図１は、本発明の折り畳みコンテナーが箱型に組み立てられた状態の斜視図である。
【図２】図２は、本発明の折り畳みコンテナーの組み立て或いは折り畳み途中の斜視図である。
【図３】図３は、本発明の折り畳みコンテナーの折り畳まれた状態の斜視図である。
【図４】図４は、本発明の折り畳みコンテナーを構成する底部と略垂直に立てられた長側壁の垂直側断面図である。
【図５】図５は、本発明の折り畳みコンテナーの長側壁の部分拡大斜視図である。
【図６】図６は、本発明の折り畳みコンテナーを構成する底部と略垂直に立てられた短側壁の垂直側断面図である。
【図７】図７は、本発明の折り畳みコンテナーの短側壁の外側から見た部分斜視図である。
【図８】図８は、本発明の折り畳みコンテナーの短側壁の内側から見た部分斜視図である。
【図９】図９は、本発明の折り畳みコンテナーを構成するロック解除部材の外側から見た斜視図である。
【図１０】図１０は、本発明の折り畳みコンテナーを構成するロック解除部材の内側から見た斜視図である。
【図１１】図１１は、本発明の折り畳みコンテナーを構成する短側壁とロック解除部材の分解斜視図である。
【図１２】図１２は、本発明の折り畳みコンテナーを構成するロック解除部材が配設された状態の部分水平断面を含む短側壁の部分斜視図である。
【図１３】図１３は、同じく、本発明の折り畳みコンテナーを構成するロック解除部材が配設された状態の部分水平断面を含む短側壁の部分斜視図である。
【図１４】図１４は、本発明の折り畳みコンテナーを構成するロック解除部材が配設された状態の短側壁の部分斜視図である。
【図１５】図１５は、本発明の折り畳みコンテナーを構成する別の実施例のロック解除部材の内側から見た斜視図である。
【図１６】図１６は、図１５に示されている別の実施例のロック解除部材が配設される短側壁の部分斜視図である。
【図１７】図１７は、図１５に示されている別の実施例のロック解除部材が配設された状態の短側壁の部分斜視図である。
【図１８】図１８は、図１５に示されている別の実施例のロック解除部材が配設された状態の短側壁の板状部に沿った部分垂直断面図である。
【符号の説明】
【００７８】
１・・・・・・・・・・・・底部
１ａ・・・・・・・・・・・長辺側土手部
１ｂ・・・・・・・・・・・短辺側土手部
２・・・・・・・・・・・・長側壁
２ａ・・・・・・・・・・・板状部
２ｂ・・・・・・・・・・・上端水平リブ
２ｃ・・・・・・・・・・・下端水平リブ
２ｄ・・・・・・・・・・・係合枠
２ｈ・・・・・・・・・・・上部水平リブ
３・・・・・・・・・・・・短側壁
３ａ・・・・・・・・・・・板状部
３ｂ・・・・・・・・・・・上端水平リブ
３ｃ・・・・・・・・・・・下端水平リブ
３ｄ・・・・・・・・・・・側端垂直リブ
３ｅ・・・・・・・・・・・張出枠
４Ｌ、４Ｒ・・・・・・・・ロック解除部材
４ｆ、４ｆ’・・・・・・・板バネ
【図１】
2006111323.tif 000003
【図２】
2006111323.tif 000004
【図３】
2006111323.tif 000005
【図４】
2006111323.tif 000006
【図５】
2006111323.tif 000007
【図６】
2006111323.tif 000008
【図７】
2006111323.tif 000009
【図８】
2006111323.tif 000010
【図９】
2006111323.tif 000011
【図１０】
2006111323.tif 000012
【図１１】
2006111323.tif 000013
【図１２】
2006111323.tif 000014
【図１３】
2006111323.tif 000015
【図１４】
2006111323.tif 000016
【図１５】
2006111323.tif 000017
【図１６】
2006111323.tif 000018
【図１７】
2006111323.tif 000019
【図１８】
2006111323.tif 000020